(57)【要約】【課題】  コンソール本体の組み付けを容易に行うとともに、コンソール本体のがたつきを好適に抑制することができるコンソールを提供する。【解決手段】コンソール本体１２は、その底壁１２ａに取着されたクリップ２１の嵌合部を、ブラケット１６の嵌合孔１６ａに嵌合することで同ブラケット１６に組み付けられている。また、コンソール本体１２がブラケット１６に組み付けられた状態で、クリップ２１の嵌合部間にはカバー部材１４の脚部が配置されている。これにより、クリップ２１の嵌合部は、嵌合孔１６ａの周縁部と脚部との間に挟着されている。【選択図】      図５
2005306247.tif 000002
【特許請求の範囲】
【請求項１】
車両のフロアパネル上に取着されるコンソールの取付構造であって、
有底筒状をなすコンソール本体を備え、
前記フロアパネルには嵌合孔が設けられ、前記コンソール本体の底壁にはクリップ及び挿入孔が設けられており、
当該クリップは対向配置された複数の嵌合部を有しており、これら嵌合部が前記嵌合孔に挿入されて前記コンソール本体が前記フロアパネル上に取着されるとともに、
前記挿入孔に挿入される抜止部材を備え、当該抜止部材は脚部を有しており、
前記複数の嵌合部が前記嵌合孔に挿入された状態で前記挿入孔に前記抜止部材が挿入され、当該複数の嵌合部の間に前記脚部が配置されることにより前記コンソール本体が前記フロアパネル上に固定されていることを特徴とするコンソールの取付構造。
【請求項２】
前記コンソール本体は、前記挿入孔を覆うカバー部材を備えており、当該カバー部材に前記抜止部材が設けられていることを特徴とする請求項１に記載のコンソールの取付構造。
【請求項３】
前記複数の嵌合部の間に前記脚部が配置された状態で、前記嵌合部は前記脚部と前記嵌合孔の周縁部との間に挟着されていることを特徴とする請求項１又は請求項２に記載のコンソールの取付構造。
【請求項４】
前記複数の嵌合部の互いに対向する面を内面とした場合、前記嵌合部の外面にはそれぞれ突部が設けられており、これら突部は、前記複数の嵌合部が前記嵌合孔に挿入された状態で前記嵌合孔の周縁部に当接されていることを特徴とする請求項１〜３のいずれか一項に記載のコンソールの取付構造。
【請求項５】
前記嵌合部の外面には、前記突部との間に前記嵌合孔の周縁部を挟持する挟持部が設けられていることを特徴とする請求項１〜４のいずれか一項に記載のコンソールの取付構造。
【発明の詳細な説明】
【技術分野】
【０００１】
本発明は、自動車等の車両において、例えば運転席と助手席との間に設置されるコンソールの取付構造に関するものである。
【背景技術】
【０００２】
従来より、コンソールの組み付けはねじ止めにより行われている。しかし、ねじ止めを用いた組み付け作業は、自動車の組立て製造ラインにおいて作業者が幾度も車両に乗降する等の面倒な作業が必要となる。そこで、組み付け作業の容易化を図ったコンソールとして、例えば特許文献１に示すものが知られている。このコンソールは、箱状をなすボックス本体を備えるとともに、該ボックス本体の上面の内側にリブが垂設されており、該リブに固定用クリップが装着されている。一方、コンソールが組み付けられるフロアトンネルには、ブラケットが固定されている。このブラケットにはスリットが設けられており、このスリットにボックス本体の固定用クリップを係合させることにより、コンソールがフロアトンネルへ組み付けられるようになっている。従って、このコンソールによれば、車両のフロアトンネルへの組み付けに際してねじ止めを必要とせず、フロアトンネルへのコンソールの組み付けを容易に行うことが可能となる。
【特許文献１】特開平８−１１６３５号公報
【発明の開示】
【発明が解決しようとする課題】
【０００３】
ところが、上記従来の様に、固定用クリップをブラケットのスリットに係合するのみでコンソールを組み付けた場合、該固定用クリップが変形し易いことから、コンソールが十分に固定されず、がたつく可能性が高かった。このため、コンソールのがたつきを好適に抑制すべく、結果として同コンソールをねじ止めによりフロアトンネルに固定せざるを得ず、その組み付け作業が面倒であった。
【０００４】
本発明は、このような従来技術に存在する問題点に着目してなされたものである。その目的とするところは、コンソール本体の組み付けを容易に行うとともに、コンソール本体のがたつきを好適に抑制することができるコンソールの取付構造を提供することにある。
【課題を解決するための手段】
【０００５】
上記の目的を達成するために、請求項１に記載の発明は、車両のフロアパネル上に取着されるコンソールの取付構造であって、有底筒状をなすコンソール本体を備え、前記フロアパネルには嵌合孔が設けられ、前記コンソール本体の底壁にはクリップ及び挿入孔が設けられており、当該クリップは対向配置された複数の嵌合部を有しており、これら嵌合部が前記嵌合孔に挿入されて前記コンソール本体が前記フロアパネル上に取着されるとともに、前記挿入孔に挿入される抜止部材を備え、当該抜止部材は脚部を有しており、前記複数の嵌合部が前記嵌合孔に挿入された状態で前記挿入孔に前記抜止部材が挿入され、当該複数の嵌合部の間に前記脚部が配置されることにより前記コンソール本体が前記フロアパネル上に固定されていることを要旨とする。
【０００６】
この構成によれば、クリップの嵌合部をブラケットの嵌合孔に嵌合することでコンソール本体がブラケットに容易に組み付けられる。また、同コンソール本体がブラケットに組み付けられた状態で、クリップの嵌合部間に抜止部材の脚部が配置されることにより、各嵌合部が変形する等してそれらの間隔が狭まるのが規制される。従って、クリップと嵌合孔との良好な嵌合状態が維持され、コンソール本体のがたつきが好適に抑制される。
【０００７】
請求項２に記載の発明は、請求項１に記載の発明において、前記コンソール本体は、前記挿入孔を覆うカバー部材を備えており、当該カバー部材に前記抜止部材が設けられていることを要旨とする。この構成によれば、コンソール本体の挿入孔がカバー部材により覆われて視認できないものとなる。このため、同コンソール本体内の意匠性の向上が図られる。
【０００８】
請求項３に記載の発明は、請求項１又は請求項２に記載の発明において、前記複数の嵌合部の間に前記脚部が配置された状態で、前記嵌合部は前記脚部と前記嵌合孔の周縁部との間に挟着されていることを要旨とする。
【０００９】
この構成によれば、各嵌合部は、内方への変形が不能となるように脚部と嵌合孔の周縁部との間に支持される。このため、嵌合部間の間隔が好適に保持され、嵌合孔へのクリップの嵌合状態が良好なものとされる。従って、コンソール本体のがたつきがより一層抑制される。
【００１０】
請求項４に記載の発明は、請求項１〜３のいずれか一項に記載の発明において、前記複数の嵌合部の互いに対向する面を内面とした場合、前記嵌合部の外面にはそれぞれ突部が設けられており、これら突部は、前記複数の嵌合部が前記嵌合孔に挿入された状態で前記嵌合孔の周縁部に当接されていることを要旨とする。
【００１１】
この構成によれば、突部を介してクリップがブラケットに好適に支持されるとともに、嵌合孔からのクリップの抜け出しも抑制される。このため、ブラケットへのコンソール本体の組み付け状態が安定し易くなる。
【００１２】
請求項５に記載の発明は、請求項１〜４のいずれか一項に記載の発明において、前記嵌合部の外面には、前記突部との間に前記嵌合孔の周縁部を挟持する挟持部が設けられていることを要旨とする。
【００１３】
この構成によれば、嵌合孔の周縁部が、突部と挟持部との間に挟持されることにより、クリップがブラケットにさらに好適且つ強固に支持される。
【発明の効果】
【００１４】
本発明によれば、コンソール本体の組み付けを容易に行うとともに、コンソール本体のがたつきを好適に抑制することができる。
【発明を実施するための最良の形態】
【００１５】
以下、本発明の最良の実施形態を図面に基づいて詳細に説明する。
図１及び図５に示すように、コンソール１１は、有底長四角筒状をなすコンソール本体１２と蓋体１３とコンソール本体１２の底壁１２ａ上に配設されるカバー部材１４とより構成されている。コンソール１１は、車両の車室内で運転席と助手席との間に設置されており、その長手方向が車両の前後方向と一致するように配置されている。そして、コンソール１１は、車両の床面を構成するフロアパネル１５上に固定されたブラケット１６に取着されるようになっている。
【００１６】
図３に示すように、ブラケット１６は、前記コンソール本体１２の前部（車両の前側となる部分）及び後部（車両の後側となる部分）の各位置と対応する位置にそれぞれ設けられている。これらブラケット１６は金属板より形成されており、各ブラケット１６には左右一対の嵌合孔１６ａが設けられている。
【００１７】
本実施形態のコンソール１１に関し、まずコンソール本体１２について以下に説明する。図１に示すように、コンソール本体１２は合成樹脂より形成され、その内部には収納物が収納されるようになっている。コンソール本体１２の底壁１２ａの四隅には、それぞれ挿入孔１８が貫設されている。図２（ａ）及び（ｂ）に示すように、各挿入孔１８には、その左右両側縁を段差状に形成することにより、載置部１９が設けられている。
【００１８】
また、図１に示すように、蓋体１３は、その後端部を中心にして上下方向に回動するようにコンソール本体１２の左右両側壁に軸着されている。そして、この蓋体１３により、コンソール本体１２の上面開口が開閉可能に閉塞されるようになっている。
【００１９】
前記コンソール本体１２の底壁１２ａに設けられた挿入孔１８にはクリップ２１の上端部が挿入されている。図２（ｂ）に示すように、該クリップ２１は、ばね性を有する金属板を、左右対称に曲げることにより、上端部間に開口部を有する正面視Ｕ字状に形成されている。そして、同クリップ２１は、左右方向に対向配置された一対の側壁を有しており、ブラケット１６へのコンソール本体１２の組み付けに際して、これら一対の側壁がブラケット１６の嵌合孔１６ａに嵌合される嵌合部２２となる（図６（ｃ）参照）。ここで、以下においては、前記一対の嵌合部２２の互いに対向する面を嵌合部２２の内面とする。
【００２０】
同クリップ２１の上端部にはＬ字状に折り曲げ形成されたガイド部２３がそれぞれ設けられている。そして、このガイド部２３がコンソール本体１２の底壁１２ａの載置部１９上に載置されることにより、クリップ２１がコンソール本体１２の底壁１２ａに保持されている。
【００２１】
図２（ｂ）に示すように、クリップ２１の各嵌合部２２の外面には、その側壁を切欠くことにより上方へ斜状に突出する突部２２ａが形成されている。また、同嵌合部２２の外面において、前記突部２２ａの上方には、その側壁を切欠くことにより下方へ斜状に突出する挟持部２２ｂが形成されている。そして、これら突部２２ａ及び挟持部２２ｂは、互いの先端が近接するように設けられるとともに、先端部間に間隙２５を有している。
【００２２】
次に、カバー部材１４について説明する。図４に示すように、カバー部材１４は長四角板状をなし、その長手方向が車両の前後方向と一致するようにコンソール本体１２の底壁１２ａ上に配設される。このカバー部材１４は、コンソール本体１２の開口を通じてコンソール本体１２の底壁１２ａ上に配設されるようになっている（図５参照）。
【００２３】
カバー部材１４の下面において、コンソール本体１２の各挿入孔１８に対応する箇所となる四隅には、抜止部材３１が同カバー部材１４と一体で設けられている。この抜止部材３１は、カバー部材１４の下面から下方へ垂設される一対の脚部３２を有している。これら脚部３２は正面視長四角板状をなし、一対が車両の前後方向に並設されている。即ち、一対の脚部３２は、互いの内面同士を車両の前後方向に対向させるように配設されている。また、これら一対の脚部３２の内面間には、水平に延びる補助部３３が介設されている。該補助部３３は脚部３２の基端部に設けられている。この補助部３３は、脚部３２に外力が加わった場合でも両脚部３２の変形を規制して、これらの間隔が狭まるのを抑制するものである。
【００２４】
図６（ａ）及び図７（ａ）に示すように、前記クリップ２１は、その一対の嵌合部２２の外面間の水平距離ａが前記嵌合孔１６ａの短手方向における幅ｂと略同一又はそれよりも僅かに大きく設定されている。また、クリップ２１の突部２２ａ及び挟持部２２ｂの先端部間に設けられた間隙２５の上下方向における幅ｃは前記嵌合孔１６ａの周縁幅ｄよりも小さく設定されている。加えて、カバー部材１４の各脚部３２の幅ｅは、前記クリップ２１の嵌合部２２内面間の水平距離ｆと略同一又はそれより僅かに大きく設定されている。従って、カバー部材１４がコンソール本体１２の底壁１２ａ上に配設された際には、脚部３２がその左右両側面をそれぞれ嵌合部２２内面に当接させた状態で該嵌合部２２間に配置されている（図７（ｂ）参照）。この状態で嵌合部２２は、脚部３２とコンソール本体１２の底壁１２ａ（嵌合孔１６ａの周縁部）との間に挟着されている。加えて、突部２２ａと挟持部２２ｂとの間にブラケット１６（嵌合孔１６ａの周縁部）が挟持されている。また、コンソール本体１２の挿入孔１８は、カバー部材１４によってコンソール本体１２の内部に露出しないように覆われている。
【００２５】
次に、本実施形態のコンソール１１の取付方法について以下に説明する。
コンソール１１をフロアパネル１５上のブラケット１６に取り付ける際には、まず図６（ａ）に示すように、クリップ２１が取着されたコンソール本体１２の底壁１２ａをブラケット１６に近づけ、その嵌合孔１６ａにそれぞれクリップ２１を対向させる。
【００２６】
続いて、図６（ｂ）に示すように、クリップ２１の下端部を嵌合孔１６ａに挿入する。コンソール本体１２の底壁１２ａをさらにブラケット１６に近づけると、クリップ２１は、その嵌合部２２の外面を嵌合孔１６ａの周縁に摺接させるとともに各嵌合部２２がそれぞれ内方へ僅かに押圧された状態で該嵌合孔１６ａにさらに押し込まれる。そして、同クリップ２１の挟持部２２ｂがブラケット１６の上面（表面）に当接するまで該クリップ２１を嵌合孔１６ａに押し込み、コンソール本体１２の底壁１２ａをブラケット１６上に載置する。すると、図６（ｃ）に示すように、各嵌合部２２がそのばね性により嵌合孔１６ａの周縁部に嵌合するとともに、突部２２ａの先端がブラケット１６の下面（裏面）に係合する。この状態において、クリップ２１の挟持部２２ｂと突部２２ａとの間に嵌合孔１６ａの周縁部が挟持される。これにより、同クリップ２１を介してコンソール本体１２がブラケット１６に取着される。
【００２７】
次に、図５及び図７（ａ）に示すように、蓋体１３を開放した状態でコンソール本体１２内にカバー部材１４を導入し、その抜止部材３１をコンソール本体１２の挿入孔１８に対向させる。そして、図７（ｂ）に示すように、抜止部材３１の各脚部３２をクリップ２１の嵌合部２２間に挿入するとともに、カバー部材１４をコンソール本体１２の底壁１２ａ上に載置する。これにより、コンソール１１がブラケット１６に取り付けられる。
【００２８】
ここで、各脚部３２がクリップ２１の嵌合部２２間に配置された状態において、両脚部３２の左右側面はそれぞれ嵌合部２２の内面に当接する。このため、各嵌合部２２の内方への変形が脚部３２によって好適に抑制される。即ち本実施形態のコンソール１１によれば、嵌合部２２間の間隔が狭まることで嵌合部２２の外面と挿入孔１８（嵌合孔１６ａ）の周縁との間に隙間が生じ、これに伴ってコンソール本体１２ががたつくのを抑制することができる。
【００２９】
前記の実施形態によって発揮される効果について、以下に記載する。
・  コンソール本体１２は、その底壁１２ａに取着されたクリップ２１の嵌合部２２を、ブラケット１６の嵌合孔１６ａに嵌合することで同ブラケット１６に組み付けられる。このとき、両嵌合部２２が嵌合孔１６ａの周縁との摺接により湾曲して幅狭となり、クリップ２１が嵌合孔１６ａにスムーズに挿入される。また、その後、クリップ２１（両嵌合部２２）が原形状に復帰することで、両嵌合部２２が嵌合孔１６ａにスムーズに嵌合し、コンソール本体１２が固定される。このため、コンソール本体１２をブラケット１６にねじ止めすることにより同コンソール本体１２を固定していた従来技術に対し、本実施形態では同様のねじ止めを必要としないため、車両の組立て製造ラインにおけるコンソール本体１２の組み付けを容易に行うことができる。
【００３０】
・  コンソール本体１２がブラケット１６に組み付けられた状態で、各脚部３２はそれぞれの左右両側面を嵌合部２２の内面に当接させた状態で該嵌合部２２間に配置される。即ち、クリップ２１の嵌合部２２が嵌合孔１６ａの周縁部と脚部３２との間に挟着され、各脚部３２が両嵌合部２２を内方から支持する構成とされる。このため本実施形態では、車両の揺れ等により各嵌合部２２が内方に変形し、同嵌合部２２と嵌合孔１６ａの周縁との間に隙間が生じてコンソール本体１２ががたつくことがない。従って、コンソール本体１２のがたつきを好適に抑制することができる。
【００３１】
・  コンソール本体１２がブラケット１６に組み付けられた状態で、クリップ２１の突部２２ａと挟持部２２ｂとの間にブラケット１６（嵌合孔１６ａの周縁部）が挟持される。その結果、クリップ２１がブラケット１６に強固に固定されるため、車両の揺れ等に伴うクリップ２１の微動が効果的に抑制される。従って、コンソール本体１２のがたつきをより一層好適に抑制することができる。
【００３２】
・  脚部３２の内面間には、水平に延びる補助部３３が介設されている。このため、脚部３２に対して外力が加わった場合でも、補助部３３により脚部３２の変形が規制され、両脚部３２の間隔が狭まるのが抑制される。従って、各脚部３２の嵌合部２２への良好な当接状態が長期的に維持され、嵌合部２２と嵌合孔１６ａの周縁との隙間の形成を好適に抑制することができる。
【００３３】
・  補助部３３は脚部３２の基端部に設けられている。このため本実施形態では、クリップ２１の嵌合部２２間への脚部３２の挿入に際して、該脚部３２の先端部が嵌合部２２の形状に容易に追従する構成とされている。従って、脚部３２が嵌合部２２間へスムーズに挿入されることから、カバー部材１４の取着を容易に行うことができる。
（変形例）
なお、本実施形態は、次のように変更して具体化することも可能である。
【００３４】
・  抜止部材３１の補助部３３を省略してもよい。
・  抜止部材３１の脚部３２の数は一対に限定されず、１つでもよく、３つ以上でもよい。
【００３５】
・  本実施形態では抜止部材３１がカバー部材１４に一体で設けられていたが、図８に示すように、抜止部材３１をカバー部材１４と別体で設ける構成を採用してもよい。即ち、同カバー部材１４は、長四角板状をなすカバー部材本体１０１と抜止部材３１とから構成される。抜止部材３１は、四角板状をなす基板３１ａと、該基板３１ａの下面に垂設された一対の脚部３２と、これら脚部３２間に介設された補助部３３とから構成される。一方、カバー部材本体１０１の四隅には貫通孔１０１ａが設けられる。この場合、コンソール本体１２の底壁１２ａ上にカバー部材本体１０１を設置した状態で、その貫通孔１０１ａに脚部３２を挿入するとともに該脚部３２をクリップ２１の嵌合部２２間に配置することにより、カバー部材本体１０１がブラケット１６に取着される。なおこの場合、カバー部材本体１０１を省略してもよい。
【００３６】
・  一対の脚部３２を、その内面同士が車両の左右方向に沿って対向するように並設する構成を採用してもよい。この場合、各脚部３２の外面がクリップ２１の内面に当接する。
【００３７】
・  クリップ２１の突部２２ａの形状は特に限定されるものではない。即ち、コンソール本体１２がブラケット１６に取着された状態で、該突部２２ａの先端がブラケット１６の下面に係合可能であれば何れの形状であってもよい。
【００３８】
・  クリップ２１の突部２２ａ及び挟持部２２ｂの少なくとも一方を省略してもよい。
・  一対の嵌合部２２のうち、一方の嵌合部２２のみに突部２２ａ及び挟持部２２ｂを設ける構成を採用してもよい。
【００３９】
・  本実施形態では一対の嵌合部２２を有するクリップ２１を用いたが、３つ以上の嵌合部を有するクリップを用いてもよい。この場合、嵌合部間に抜止部材の脚部を配置可能とすべく、少なくとも一対の嵌合部が対向配置される構成が好ましい。その際、クリップの形状に応じて挿入孔及び嵌合孔の形状も適宜変更される。
【００４０】
・  エアバックＥＣＵ、エアバック衝撃センサ等が実装されたプリント基板や、カップホルダー、灰皿等が装備されたコンソールに本実施形態の取付構造を採用してもよい。特に、車両の変速機構を電子式のもの（シフトバイワイヤユニット）とした場合、このシフトバイワイヤユニットに係るＡＴユニット等を本実施形態のコンソールに組み込んでもよい。例えば、機械式の変速機構であれば、ＡＴユニットを車両のフロアパネルに固定した後にコンソールの取着が行われる。この場合、ＡＴユニットに対してコンソールが位置ずれしても、ＡＴユニット及びコンソールの何れも大きく移動させることはできない。その結果、ＡＴユニットを被覆するパネル等とコンソールとの合わせ目に隙間が生じたり、同合わせ目に形成される見切り線が曲がったり、ずれたりしてしまう。これに対し、電子式の変速機構であれば、コンソールにＡＴユニットを予め取付け、同ＡＴユニットが組み込まれた状態でコンソールを車両のフロアパネルに取着することができる。即ち、コンソールにＡＴユニットを予め取付ける際、ＡＴユニットが固定されておらず、コンソールに対する同ＡＴユニットの位置修正を容易に行うことができる。また、前記のエアバックＥＣＵ、プリント基板等も機械式の変速機構のＡＴユニットと同様に従来は車両のフロアパネルに固定されており、コンソールを位置ずれさせるものとなっていた。しかしながら、エアバックＥＣＵ、プリント基板等がコンソールに装備された構成とすることでフロアパネルに対するコンソールの位置ずれを抑制することが可能となる。一方、前記のカップホルダー、灰皿等は、従来はコンソールの取着後に同コンソールに取付けるよう構成されている。特に、ねじで固定する従来のコンソールであれば、カップホルダー、灰皿等が同ねじを隠すように取付けられる。この場合、まずコンソール本体がフロアパネルに取着され、その後、狭い車内でカップホルダー、灰皿等が取付けられることから、取付作業時にそれらが位置ずれしやすくなっていた。これに対し、カップホルダー、灰皿等が予め取付けられたコンソールであれば、それらの取付作業を狭い車内で行わずともよい。即ち、広い車外でコンソールに対してカップホルダー、灰皿等の位置合わせを行い、それらを所定位置に適宜組み付けた状態で、コンソールをフロアパネルに取着することが可能となる。このため、カップホルダー、灰皿等のコンソールに対する位置ずれを抑制することが可能である。従って、ＡＴユニット、エアバックＥＣＵ、プリント基板、カップホルダー、灰皿等が装備されたコンソールは、従来のものに比べてコンソールの位置ずれ、或いはコンソールに対するＡＴユニット等の位置ずれが抑制されることから、意匠性の向上を図ることができる。そして、ＡＴユニット等が装備されたコンソールとする構成は、コンソール本体の組み付けを容易に行うとともに、コンソール本体のがたつきを好適に抑制することができるコンソールの取付構造としたことによって実現可能となるものである。
【００４１】
・  本実施形態では４つのクリップ２１を設ける構成を採用したが、該クリップ２１の数はこれに限定されるものではない。即ち、クリップ２１の数は３つ以下でもよく、５つ以上でもよい。
【００４２】
・  ブラケット１６を省略してもよい。この場合、フロアパネル１５に嵌合孔１６ａが設けられ、コンソール本体１２はフロアパネル１５に直接取着される。
・  ブラケット１６にクリップ２１を取着するとともに、コンソール本体１２の底壁１２ａに該クリップ２１が嵌合する嵌合孔１６ａを設ける構成を採用してもよい。
【００４３】
さらに、前記実施形態より把握できる技術的思想について以下に記載する。
・  車両のフロアパネル上に取着されるコンソールの取付構造であって、前記フロアパネル上に固定されたブラケット及び有底筒状をなすコンソール本体を備えており、前記コンソール本体の底壁には嵌合孔が設けられ、前記ブラケットにはクリップが設けられており、当該クリップは並列に配置された一対の嵌合部を有しており、これら嵌合部が前記嵌合孔に挿入されることにより、前記コンソール本体が前記ブラケットに取着されるとともに、前記嵌合孔に挿入される抜止部材を備え、当該抜止部材は前記一対の嵌合部の間隔が狭まることを規制する脚部を有しており、前記一対の嵌合部が前記嵌合孔に挿入された状態で当該嵌合孔に前記抜止部材が挿入されて当該一対の嵌合部の間に前記脚部が配置されることにより、前記コンソール本体が前記ブラケットに固定されていることを特徴とするコンソールの取付構造。
【００４４】
・  前記フロアパネル上にはブラケットが固着され、該ブラケットに嵌合孔が設けられていることを特徴とする請求項１〜５のいずれか一項に記載のコンソールの取付構造。このように構成した場合、コンソールの取付けの容易化を図ることができる。
【００４５】
・  前記抜止部材は、前記脚部を一対有しており、これら脚部の間には、両脚部の間隔が狭まることを抑制する補助部が設けられていることを特徴とする請求項１〜５のいずれか一項に記載のコンソールの取付構造。このように構成した場合、脚部の変形を好適に抑制することができる。
【図面の簡単な説明】
【００４６】
【図１】本実施形態のコンソール本体を示す斜視図。
【図２】（ａ）は本実施形態のクリップの装着状態を示す斜視図、（ｂ）は図２（ａ）の２ｂ−２ｂ線断面図。
【図３】本実施形態のブラケットを示す斜視図。
【図４】本実施形態のカバー部材を示す斜視図。
【図５】本実施形態のコンソールを示す分解斜視図。
【図６】（ａ）はコンソール本体をブラケットに組み付ける前の状態を示す部分側断面図、（ｂ）はクリップを嵌合孔に挿入した状態を示す部分側断面図、（ｃ）はコンソール本体をブラケットに組み付けた状態を示す部分側断面図。
【図７】（ａ）はカバー部材をブラケットに組み付ける前の状態を示す部分側断面図、（ｂ）はカバー部材をブラケットに組み付けた状態を示す部分側断面図。
【図８】本実施形態以外のカバー部材を示す斜視図。
【符号の説明】
【００４７】
１１…コンソール、１２…コンソール本体、１２ａ…底壁、１４…カバー部材、１５…フロアパネル、１６…ブラケット、１６ａ…嵌合孔、１８…挿入孔、２１…クリップ、２２…嵌合部、２２ａ…突部、２２ｂ…挟持部、３１…抜止部材、３２…脚部、３３…補助部。
【図１】
2005306247.tif 000003
【図２】
2005306247.tif 000004
【図３】
2005306247.tif 000005
【図４】
2005306247.tif 000006
【図５】
2005306247.tif 000007
【図６】
2005306247.tif 000008
【図７】
2005306247.tif 000009
【図８】
2005306247.tif 000010